(57)【要約】【課題】  繰り返して使用できる義歯洗浄具を提供する。【解決手段】  義歯Ｔを水Ｗに浸漬して義歯Ｔを洗浄する義歯洗浄用容器であって、前記義歯Ｔを収容する容器本体１は、上方を開口２した有底筒状であると共に、該容器本体１の内面に水Ｗに浸漬可能な浄化用銅繊維６を設け、かつ開口２に該開口２を開閉する蓋10を備える。水中で銅繊維６より生成される銅イオンにより前記義歯Ｔを洗浄することで、義歯Ｔの殺菌やぬめりの除去を行うことができると共に、銅イオンによって水道水の塩素を除去でき、さらに開口２を開閉する蓋10を備えたことで、容器本体１にごみの浸入などを阻止することができる。【選択図】図１
2007089816.tif 000002
【特許請求の範囲】
【請求項１】
義歯を水に浸漬して義歯を洗浄する義歯洗浄方法であって、前記水に銅を浸漬させ、該銅より生成される銅イオンにより前記義歯を洗浄することを特徴とする義歯洗浄方法。
【請求項２】
義歯を水に浸漬して義歯を洗浄する義歯洗浄用容器であって、前記義歯を収容する容器本体は、上方を開口した有底筒状であると共に、該容器本体の内面に前記水に浸漬可能な浄化用銅繊維を設け、かつ前記開口に該開口を開閉する蓋を備えたことを特徴とする義歯洗浄用容器。
【請求項３】
義歯と共に水に浸漬する義歯洗浄用容器であって、前記義歯を収容する容器本体に通水孔を形成し、この容器本体に浄化用銅繊維を設けたことを特徴とする義歯洗浄用容器。
【請求項４】
前記浄化用銅繊維は通水可能な収容体に複数層に収容したことを特徴とする請求項２又は３記載の義歯洗浄用容器。
【請求項５】
前記浄化用銅繊維が不織布状であることを特徴とする請求項１〜３のいずれか１項に記載の義歯洗浄用容器。
【発明の詳細な説明】
【技術分野】
【０００１】
本発明は、総入れ歯 、部分入れ歯などの義歯洗浄方法及び義歯洗浄用容器に関するものである。
【背景技術】
【０００２】
従来、この種のものとして微粉化した無機物系担体に抗菌性金属の金属塩を吸着保持させ、該無機物系担体が加熱収縮を起こす温度でこれを焼成して金属が無機物系担体から水中に脱着することがないよう加工したりして、銀、銅 および亜鉛イオンのような抗菌性金属イオンを担持させた無機物系担体からなり、発泡錠剤、発泡顆粒、発泡粉体、液体、歯磨ペーストなど様々な剤型に製剤化することができるものが知られている（例えば、特許文献１）。
【特許文献１】国際公開ＷＯ９９／５６７１４号公報
【発明の開示】
【発明が解決しようとする課題】
【０００３】
従来技術のような抗菌性金属イオンを担持させた義歯洗浄剤においては、抗菌性金属イオンによって義歯に付着している雑菌の殺菌を行うことができるものであるが、発泡錠剤、発泡顆粒、発泡粉体、液体、歯磨ペーストなどの剤型とした場合には、繰り返し使用することができないという問題がある。
【０００４】
解決しようとする問題点は、繰り返して使用できる義歯洗浄方法及び義歯洗浄用容器を提供する点である。
【課題を解決するための手段】
【０００５】
請求項１の発明は、義歯を水に浸漬して義歯を洗浄する義歯洗浄方法であって、前記水に銅を浸漬させ、該銅より生成される銅イオンにより前記義歯を洗浄することを特徴とする義歯洗浄方法である。
【０００６】
請求項２の発明は、義歯を水に浸漬して義歯を洗浄する義歯洗浄用容器であって、前記義歯を収容する容器本体は、上方を開口した有底筒状であると共に、該容器本体の内面に前記水に浸漬可能な浄化用銅繊維を設け、かつ前記開口に該開口を開閉する蓋を備えたことを特徴とする義歯洗浄用容器である。
【０００７】
請求項３の発明は、義歯と共に水に浸漬する義歯洗浄用容器であって、前記義歯を収容する容器本体に通水孔を形成し、この容器本体に浄化用銅繊維を設けたことを特徴とする義歯洗浄用容器である。
【０００８】
請求項４の発明は、前記浄化用銅繊維は通水可能な収容体に複数層に収容したことを特徴とする請求項２又は３記載の義歯洗浄用容器である。
【０００９】
請求項５の発明は、前記浄化用銅繊維が不織布状であることを特徴とする請求項１〜３のいずれか１項に記載の義歯洗浄用容器である。
【発明の効果】
【００１０】
請求項１の発明によれば、義歯を水に銅と共に浸漬することで義歯の殺菌やぬめりの除去を簡単に繰り返して行うことができる。しかも、銅は半永久的に銅イオンを溶け出し可能なので、繰り返し使用することができる。
【００１１】
請求項２の発明によれば、容器本体に義歯を収容し、そして水に浸漬することで義歯の殺菌やぬめりの除去を簡単に繰り返して行うことができる。しかも、銅繊維は半永久的に銅イオンを溶け出し可能なので、繰り返し使用することができる。
【００１２】
請求項３の発明によれば、通水可能な収容体に収容された浄化用銅繊維を義歯と共にコップ等に収容した水に浸漬するだけで簡単に義歯の殺菌やぬめりの除去を簡単に繰り返して行うことができる。
【００１３】
請求項４の発明によれば、銅繊維相互が絡み合っているので抜け出るようなことはなく、義歯に銅繊維が付着するようなおそれをなくすことができる。
【００１４】
請求項５の発明によれば、銅繊維と水との接触面積を大きくでき、その両者の接触面積の増大に伴なって銅イオンの溶け出し量を大きくして義歯の殺菌を良好に行うことができる。
【発明を実施するための最良の形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】
図１〜６は実施例１を示しており、義歯Ｔを収容する容器本体１は、上方を開口２とした偏平な有底筒状であって、容器本体１の底部４或いは外周部５には後述する銅繊維６を積層した銅の不織布７を、収容した水Ｗに浸漬するように設ける。
【００１７】
前記容器本体１はさらに開口２に、該開口２を開閉する蓋10が回動自在に設けられている。尚、この蓋10は開口２を全面的に閉じて該開口２を水密に閉じることができるようになっている。
【００１８】
前記不織布７は、高純度（純度９９.９％以上）の金属銅を、直径が例えば５〜１００ミクロンメートル、好ましくは１０〜３０ミクロンメートルの繊維状に細く形成した多数の銅繊維６を積層して不織布７のようなシート状にし一体化したもので、銅繊維６は抜け出ないようになっている。 
【００１９】
浄化用銅繊維６からなる円盤形状の複数層の不織布７を収容する収容体としての平面が円形な内容器本体１1は、その上下面にナイロン等樹脂等による覆布12を設けると共にその側縁を縫着部13によりナイロン等樹脂等による縁布14で覆って設けられている。尚、覆布12、縁布14は布目によって通水性を有すると共に、布目は銅繊維６がはみ出ない大きさに形成されている。
【００２０】
内容器本体１1を収容する平面が円形な外容器本体１5はケース下器16の上部にケース上蓋17を設けると共に、これらは円周に設けた雄、雌螺子部18により着脱自在に設ける。そしてケース下器16とケース上蓋17と円周に設けた着脱自在にするために螺子部18に囲まれて内容器本体１1を収容する収納空間19が形成される。さらに、ケース下器16、ケース上蓋17には内外を連通する通水孔20がそれぞれ形成されている。
【００２１】
次に前記構成についてその作用を説明する。予め銅繊維６、ひいては内容器本体１1を収容する外容器本体１5を底部５に載置すると共に、水Ｗとしての水道水を所定量収容し、蓋10を閉じる。尚、所定量の水Ｗとは銅繊維６及び義歯Ｔが浸漬する量をいう。これにより水Ｗは通水孔20から内容器本体１1の内側に侵入し銅繊維６は水Ｗに浸漬する。この際、水Ｗに浸漬された銅金属から銅イオンが水中に溶け出して、この銅イオンが溶けた水が再び内容器本体１1、外容器本体１5を通って容器本体１にたまる。この後容器本体１を１０回程度少し強目に振ることで比較的多量の水道水が銅繊維６に触れて水道水中の塩素を数秒で除去することができる。
【００２２】
次に蓋10を開いて義歯Ｔを水Ｗに浸漬するように容器本体１に収容し蓋10を閉じる。前述のように銅イオンを含んでいる水Ｗに義歯Ｔを浸漬すると、該義歯Ｔに付着していた雑菌は銅イオンによって殺菌される。このようにして、義歯Ｔを銅イオンが溶け出した水Ｗ中に浸漬しておくことで、義歯Ｔに付着した雑菌を殺菌し、さらにぬめりなども同時に除去することができる。そして、使用するときには、蓋10を開いて義歯Ｔを取り出すものである。
【００２３】
尚、義歯Ｔは１日でも乾燥させると金属部分と樹脂部分との間で変形を生じて歯茎に合わなくなる。それを防ぐため、使用しない時は常に水Ｗに浸しておく必要がある。そのため、容器本体１内の水Ｗは雑菌のない清潔で塩素もない水Ｗでなければならず、この容器本体１に２４時間常時収容している前記水Ｗ中に使用していない時の義歯Ｔを浸漬するものである。
【００２４】
以上のように、前記実施例では義歯Ｔを水Ｗに浸漬して義歯Ｔを洗浄する義歯洗浄方法であって、前記水Ｗに浄化用銅繊維６を浸漬させ、該銅繊維６より生成される銅イオンにより前記義歯Ｔを洗浄することで、義歯Ｔの殺菌やぬめりの除去を行うことができる。しかも、銅繊維６は半永久的に銅イオンを溶け出し可能なので、繰り返し使用することができる。
【００２５】
また、義歯Ｔを水Ｗに浸漬して義歯Ｔを洗浄する義歯洗浄用容器であって、前記義歯Ｔを収容する容器本体１は、上方を開口２した有底筒状であると共に、該容器本体１の内面に前記水Ｗに浸漬可能な浄化用銅繊維６を設け、かつ前記開口２に該開口２を開閉する蓋10を備えたことにより、水中で銅繊維６より生成される銅イオンにより前記義歯Ｔを洗浄することで、義歯Ｔの殺菌やぬめりの除去を行うことができると共に、銅イオンによって水道水の塩素を除去でき、さらに開口２を開閉する蓋10を備えたことで、容器本体１にごみの浸入などを阻止することができる。
【００２６】
しかも、前記浄化用銅繊維６は通水可能な収容体たる内容器本体１1、さらには外容器本体１5に複数層に収容し、水Ｗに浸漬された銅繊維６から銅イオンが水中に溶け出して、この銅イオンが溶けた水が再び内容器本体１1、外容器本体１5を通って容器本体１にたまるので、銅繊維６が直接あらわれることはなく、銅繊維６の取り扱いを容易に行うことができる。
【００２７】
さらに、前記複数層に設けられた浄化用銅繊維６が不織布７の状態であることにより、銅繊維６相互が絡み合って抜け出るようなことはなく、義歯Ｔに銅繊維６が付着するようなおそれをなくすことができる。
【実施例２】
【００２８】
以下に他の実施例について説明する。尚、前記実施例１と同一部分には同一符号を付し、その詳細な説明を省略する。図７に示した実施例２においては、外容器本体１5を平面横長形状としたものである。これにより、図示しない内容器本体の平面も横長形状としたものである。
【００２９】
このように銅繊維を収容する外容器本体１5、内容器本体を平面横長形状とすることで、義歯Ｔが平面横長な場合には、該義歯Ｔを外容器本体１5上に安定して載置することができる。
【実施例３】
【００３０】
図８〜１０は実施例３を示しており、義歯Ｔを収容する容器本体１は、上方を開口部２とした偏平な有底筒状であって、この容器本体１は例えば板状の網やパンチングメタル等を加工して形成されており、網目或いは打ち抜き孔によって通水孔３が形成される。そして、容器本体１の底部４及び外周部５のうち底部４には銅繊維６を積層した銅の不織布７を載置したり、或いは一体に貼り付ける。この一体化する固定手段としては接着等の固定手段による。
【００３１】
前記容器本体１はさらに開口部２に蓋10が設けられている。そしてこの蓋10にも通水孔３を形成すると共に、内側に銅繊維６を積層した銅の不織布７を取り付ける。
【００３２】
前記不織布７は、高純度（純度９９.９％以上）の金属銅を、直径が例えば１０〜３０ミクロンメートルの繊維状に細く形成した多数の銅繊維６をシート状にして一体化したもので、銅繊維６は抜け出ないようになっている。 
【００３３】
次に前記構成についてその作用を説明する。予めコップ等の外容器８に水Ｗを収容しておき、そして義歯Ｔを容器本体１に収容し、そして容器本体１を外容器８に収容し蓋10を閉じる。これにより銅繊維６は水Ｗに浸漬すると共に、水Ｗは通水孔３から容器本体１の内側に浸入し、義歯Ｔは浸漬されることとなる。この際、水Ｗに浸漬された銅金属から銅イオンが溶け出して、水Ｗと共に通水孔３を通って義歯Ｔに接すると、該義歯Ｔに付着していた雑菌は殺菌される。このようにして、義歯Ｔを銅イオンが溶け出した水Ｗ中に一晩浸漬しておくことで、義歯Ｔに付着した雑菌を殺菌し、さらにぬめりなども同時に除去することができる。
【００３４】
そして再び義歯Ｔを洗浄するときには、水Ｗを収容した外容器８に、義歯Ｔを収容した容器本体１を再び浸漬させ、銅繊維６より溶け出す銅イオンを含んだ水Ｗによって義歯Ｔを殺菌する。
【００３５】
以上のように、前記実施例では義歯Ｔと共に水Ｗに浸漬する義歯洗浄具において、前記義歯Ｔを収容する容器本体１に通水孔３を形成し、この容器本体１に浄化用銅繊維６を複数層に設けたことにより、銅から溶け出す銅イオンによって義歯Ｔの殺菌を行うことができ、さらに銅繊維６は複数層に設けられているので、銅繊維６と水Ｗとの接触面積を大きくでき、その両者の接触面積の増大に伴なって銅イオンの溶け出し量を大きくでき、この結果銅イオンに伴う殺菌作用を高めることができる。しかも、銅繊維６は半永久的に銅イオンを溶け出し可能なので、繰り返し使用することができる。
【００３６】
また、前記容器本体１は上方を開口した有底筒状であり、容器本体１に義歯Ｔを収容し、そして容器本体１を外容器８の水Ｗに浸漬することで義歯Ｔの殺菌を簡単に行うことができる。
【実施例４】
【００３７】
図１１〜１２は実施例４を示しており、義歯Ｔを収容する容器本体１は、上方を開口２とした有底筒状であって、この容器本体１は網目或いは打ち抜き孔によって通水孔３が形成される。そして、容器本体１の底部４及び外周部５を囲むように銅繊維６を積層した銅の不織布７を一体に貼り付ける。この一体化する固定手段としては接着等の固定手段による。
【００３８】
前記容器本体１はさらに外容器８に収容される。この外容器８は上方を開口した有底容器であって、その上部開口９より容器本体１を出し入れできるようになっており、上部開口９には開閉自在な蓋10が設けられている。
【００３９】
次に前記構成についてその作用を説明する。予め外容器８に水Ｗを収容しておき、そして義歯Ｔを容器本体１に収容し、そして容器本体１を外容器８に収容する。これにより銅繊維６は水Ｗに浸漬すると共に、水Ｗは通水孔３から容器本体１の内側に浸入し、義歯Ｔは浸漬されることとなる。この際、水Ｗに浸漬された銅金属から銅イオンが溶け出して、水Ｗと共に通水孔３を通って義歯Ｔに接すると、該義歯Ｔに付着していた雑菌は殺菌される。このようにして、義歯Ｔを銅イオンが溶け出した水Ｗ中に一晩浸漬しておくことで、義歯Ｔに付着した雑菌を殺菌し、さらにぬめりなども同時に除去することができる。
【００４０】
そして、義歯Ｔを容器本体１より取り出すと共に、該容器本体１を外容器８より取り出した後、汚れた水Ｗは廃棄する。一方、容器本体１は風通しのよいところにおいて銅繊維６を乾燥させる。
【００４１】
そして再び義歯Ｔを洗浄するときには、水Ｗを収容した外容器８に、義歯Ｔを収容した容器本体１を再び浸漬させ、銅繊維６より溶け出す銅イオンを含んだ水Ｗによって義歯Ｔを殺菌する。
【００４２】
以上のように、前記実施例では義歯Ｔと共に水Ｗに浸漬する義歯洗浄具において、前記義歯Ｔを収容する容器本体１に通水孔３を形成し、この容器本体１に浄化用銅繊維６を複数層に設けたことにより、銅から溶け出す銅イオンによって義歯Ｔの殺菌を行うことができ、さらに銅繊維６は複数層に設けられているので、銅繊維６と水Ｗとの接触面積を大きくでき、その両者の接触面積の増大に伴なって銅イオンの溶け出し量を大きくでき、この結果銅イオンに伴う殺菌作用を高めることができる。しかも、銅繊維６は半永久的に銅イオンを溶け出し可能なので、繰り返し使用することができる。
【００４３】
また、前記容器本体１は上方を開口した有底筒状であって、該容器本体１は上方を開口した有底筒状の外容器８に着脱自在に収容され、外容器８に水Ｗを収容すると共に、容器本体１に義歯Ｔを収容し、そして容器本体１を外容器８の水Ｗに浸漬することで義歯Ｔの殺菌を簡単に行うことができる。
【００４４】
さらに、前記複数層に設けられた浄化用銅繊維６が不織布７であることにより、銅繊維６相互が絡み合って抜け出るようなことはなく、義歯Ｔに銅繊維６が付着するようなおそれをなくすことができる。
【実施例５】
【００４５】
図１３は実施例５を示しており、実施例５は銅繊維６の不織布７を単独で使用する場合であり、合成樹脂繊維を編んで網目21によって通水可能とした織布によってコップに入る程度の閉じた袋22を形成し、この袋22の中に、銅繊維６を積層した不織布７を収容する。
【００４６】
したがって、予めコップ等水容器23に水Ｗを収容しておき、そして義歯Ｔと共に銅繊維６を収容した袋22を水Ｗに浸漬する。水Ｗは網目21から袋22の内側に侵入し、水Ｗに銅金属から銅イオンが溶け出し、そしてこの銅イオンが義歯Ｔに接すると、該義歯Ｔに付着していた雑菌は殺菌される。このようにして、義歯Ｔを銅イオンが溶け出した水中に一晩浸漬しておくことで、義歯Ｔに付着した雑菌を殺菌し、さらにぬめりなども同時に除去することができる。そして、義歯Ｔ及び袋22を容器23より取り出し、袋22は風通しのよいところにおいて銅繊維６を乾燥させる。
【００４７】
そして再び義歯Ｔを洗浄するときには、水Ｗを収容した容器23に、義歯Ｔ及び袋22を再び浸漬させ、銅繊維６より溶け出す銅イオンを含んだ水Ｗによって義歯Ｔを殺菌する。
【００４８】
以上のように、前記実施例では前記実施例の効果のほかに義歯Ｔと共に水Ｗに浸漬する義歯洗浄具において、通水可能な収容体たる袋22に浄化用銅繊維６を複数層に収容したことで、この通水可能な袋22に収容された浄化用銅繊維６を義歯Ｔと共にコップ等の容器23に収容した水Ｗに浸漬するだけで簡単に義歯Ｔを殺菌することができる。
【００４９】
また、前記収容体が袋22となって小型化できるので、旅行などの際の携帯性を向上することができる。
【実施例６】
【００５０】
図１４は実施例６を示しており、実施例５も銅繊維６の不織布７を単独で使用する場合であり、合成樹脂繊維を編んだ上下一対の布或いは一枚ものの合成樹脂製シートからなる蓋部材31、底部材32の間に、銅繊維６を積層した不織布７を一体に収容する。この一体化する固定手段としては接着、縫着等の固定手段による。
【００５１】
したがって、予めコップ等水容器33に水Ｗを収容しておき、そして義歯Ｔと共に銅繊維６を収容した蓋部材31、底部材32を水Ｗに浸漬する。水Ｗは蓋部材31、底部材32の間から内側に侵入し、水Ｗに銅金属から銅イオンが溶け出し、そしてこの銅イオンが義歯Ｔに接すると、該義歯Ｔに付着していた雑菌は殺菌される。このようにして、義歯Ｔを銅イオンが溶け出した水中に一晩浸漬しておくことで、義歯Ｔに付着した雑菌を殺菌し、さらにぬめりなども同時に除去することができる。
【００５２】
そして、義歯Ｔ及び銅繊維６を容器本体１より取り出し、再び繰り返して使用することができる。
【産業上の利用可能性】
【００５３】
以上のように本発明は種々の義歯の浄化に適用できる。
【図面の簡単な説明】
【００５４】
【図１】本発明の実施例１を示す斜視図である。
【図２】本発明の実施例１を示す内容器本体の平面図である。
【図３】本発明の実施例１を示す内容器本体の断面図である。
【図４】本発明の実施例１を示す外容器本体の平面図である。
【図５】本発明の実施例１を示す外容器本体の側面図である。
【図６】本発明の実施例１を示す外容器の分解断面図である。
【図７】本発明の実施例２を示す斜視図である。
【図８】本発明の実施例３を示す断面図である。
【図９】本発明の実施例３を示す側面図である。
【図１０】本発明の実施例３を示す平面図である。
【図１１】本発明の実施例４を示す一部を拡大断面した正面図である。
【図１２】本発明の実施例４を示す分解斜視図である。
【図１３】本発明の実施例５を示す一部を拡大断面した正面図である。
【図１４】本発明の実施例６を示す一部を拡大断面した正面図である。
【符号の説明】
【００５５】
１  容器本体
３  通水孔
６  浄化用銅繊維
７  不織布
10  蓋
11  内容器（収容体）
22  袋
Ｔ  義歯
Ｗ  水
【図１】
2007089816.tif 000003
【図２】
2007089816.tif 000004
【図３】
2007089816.tif 000005
【図４】
2007089816.tif 000006
【図５】
2007089816.tif 000007
【図６】
2007089816.tif 000008
【図７】
2007089816.tif 000009
【図８】
2007089816.tif 000010
【図９】
2007089816.tif 000011
【図１０】
2007089816.tif 000012
【図１１】
2007089816.tif 000013
【図１２】
2007089816.tif 000014
【図１３】
2007089816.tif 000015
【図１４】
2007089816.tif 000016